(57)【要約】【課題】  バージンロック機能付きの包装箱において、バージンロックを解除された蓋板を直ちに開封可能にしながら、再封された蓋板の自由な開放を制止可能にすること。【解決手段】  包装箱１０であって、蓋板２１の開封後に該蓋板２１の差込フラップ２２を後板１２の内側面と内フラップ２３、２４の後縁２３Ｂ、２４Ｂの間の間隙Ｇに差込んで蓋板２１を再封したとき、該差込フラップ２２のスリット４０に係止している係止片３０の該差込フラップ２２の内側に入っている上端係止部３２を内フラップ２３、２４の内側面に衝合させ、蓋板２１の自由な開放を制止可能するもの。【選択図】  図１
2010285186.tif 000002
【特許請求の範囲】
【請求項１】
前板と後板と左右の側板からなる胴部と、前板の上縁に連設される蓋板と、蓋板の先端部に設けられる差込フラップと、左右の側板の上縁の少なくとも一方に連設される内フラップとを有し、胴部の開口に内フラップを折込み配置し、この内フラップの外側に折込み重ねた蓋板の差込フラップを後板の内側面と内フラップの後縁の間の間隙に差込み可能にし、
後板の上縁の側の一部であって、該後板のその他の部分から切取り可能に設けられた係止片と、蓋板の差込フラップに設けられてその幅方向へ延びるスリットとを有し、該差込フラップを後板の内側面と内フラップの後縁の間の間隙に差込むとき、係止片の上端係止部を該差込フラップの外側面からスリットに挿入し、該係止片の上端係止部に該スリットを係止させて蓋板を閉止可能にするとともに、
蓋板の差込フラップのスリットと係止している係止片を後板のその他の部分から切取り、蓋板を開封可能にする包装箱であって、
蓋板の開封後に該蓋板の差込フラップを後板の内側面と内フラップの後縁の間の間隙に差込んで蓋板を再封したとき、該差込フラップのスリットに係止している係止片の該差込フラップの内側に入っている上端係止部を内フラップの内側面に衝合させ、蓋板の自由な開放を制止可能する包装箱。
【請求項２】
前記蓋板の差込フラップに設けられるスリットが、その幅方向の中央部を、先端側に向けて凸状をなす凸状スリット部とし、
差込フラップの凸状スリット部に沿って画成される凸片部が、係止片の上端係止部をスリットに挿入するときのガイドになる請求項１に記載の包装箱。
【請求項３】
前記後板に設けられる係止片が、後板のその他の部分とミシン目を介して切取り可能に接合される切取り可能部と、切取り可能部の中央上部に連結される上端係止部とからなり、
上端係止部が、切取り可能部の中央上部との連結部と、この連結部の幅方向の両側に延びる肩部と、両側の肩部の連結部に対する外側端同士を結ぶ膨出状曲線とで囲まれる舌片状をなす請求項１又は２に記載の包装箱。
【発明の詳細な説明】
【技術分野】
【０００１】
本発明はバージンロック機能付きの包装箱に関する。
【背景技術】
【０００２】
バージンロック機能付きの包装箱として、特許文献１に記載の如く、第１〜第４側壁と、第１側壁の上端縁に連設された頂壁と、底部開口を閉じる底壁とを有する六面体の物品収納容器であり、頂壁が、自由端縁と、自由端縁に連設された係止片とを有し、第２側壁が、その上端縁近傍に形成されたスリットと、スリットから容器の下方へ向かって形成された開閉窓とを有し、係止片をスリットから容器の内側へ挿入すると、係止片の先端部が容器の内側に係合し、開閉窓を第２側壁の外側へ旋回させると、スリットにつながって係止片の先端部を容器の外側へ引き出すことが可能な開口が形成されるものがある。この包装箱は、頂部開口を頂壁の回転によって開封したとき、頂壁に連設されている係止片と容器との係合（バージンロック）を解除するため、開閉窓を第２側壁から切り離さなければならず、バージンロックを解除した開閉窓の切り離しが容器の外観に表れることで容器が開封済であることがわかる。
【０００３】
ところが、特許文献１に記載の包装箱では、容器のバージンロックを解除して開封する作業が、開閉窓を第２側壁から切り離して外側へ旋回させる工程と、係止片を第２側壁に形成されているスリットから引き出す工程の複数の工程からなり、迅速に欠ける。
【０００４】
従来の他のバージンロック機能付きの包装箱として、図９に示す如く、後板２の上縁の側の一部であって、該後板２のその他の部分から切取り可能に設けられた係止片３と、前板１に連設されている蓋板４の差込フラップ５に設けられてその幅方向へ延びるスリット５Ａとを有し、該差込フラップ５を後板２の内側面と内フラップ６の後縁の間の間隙に差込むとき、係止片３の上端係止部３Ａを差込フラップ５の外側面からスリット５Ａに挿入し、該係止片３の上端係止部３Ａに該スリット５Ａを係止させて蓋板４を閉止可能にするものがある。
【０００５】
この包装箱では、蓋板４の差込フラップ５のスリット５Ａと係止している係止片３を後板２のその他の部分から切取れば、蓋板４のバージンロックを解除して該蓋板４を直ちに開封できる。
【先行技術文献】
【特許文献】
【０００６】
【特許文献１】特開2003-160127
【発明の概要】
【発明が解決しようとする課題】
【０００７】
しかしながら、図９に示した従来のバージンロック機能付きの包装箱では、蓋板４の開封後に蓋板４の差込フラップ５を後板２の内側面と内フラップ６の後縁の間の間隙に差込んで蓋板４を再封したとき、蓋板４の前板１に対する折り曲げ連設部で生じている開放習性力により、蓋板４が自由に開放してしまい易い。
【０００８】
本発明の課題は、バージンロック機能付きの包装箱において、バージンロックを解除された蓋板を直ちに開封可能にしながら、再封された蓋板の自由な開放を制止可能にすることにある。
【課題を解決するための手段】
【０００９】
請求項１の発明は、前板と後板と左右の側板からなる胴部と、前板の上縁に連設される蓋板と、蓋板の先端部に設けられる差込フラップと、左右の側板の上縁の少なくとも一方に連設される内フラップとを有し、胴部の開口に内フラップを折込み配置し、この内フラップの外側に折込み重ねた蓋板の差込フラップを後板の内側面と内フラップの後縁の間の間隙に差込み可能にし、後板の上縁の側の一部であって、該後板のその他の部分から切取り可能に設けられた係止片と、蓋板の差込フラップに設けられてその幅方向へ延びるスリットとを有し、該差込フラップを後板の内側面と内フラップの後縁の間の間隙に差込むとき、係止片の上端係止部を該差込フラップの外側面からスリットに挿入し、該係止片の上端係止部に該スリットを係止させて蓋板を閉止可能にするとともに、蓋板の差込フラップのスリットと係止している係止片を後板のその他の部分から切取り、蓋板を開封可能にする包装箱であって、蓋板の開封後に該蓋板の差込フラップを後板の内側面と内フラップの後縁の間の間隙に差込んで蓋板を再封したとき、該差込フラップのスリットに係止している係止片の該差込フラップの内側に入っている上端係止部を内フラップの内側面に衝合させ、蓋板の自由な開放を制止可能するようにしたものである。
【図面の簡単な説明】
【００１０】
【図１】図１は包装箱の物品収容前の蓋開き状態を示す斜視図である。
【図２】図２は包装箱の物品収容後の蓋閉じ状態を示す斜視図である。
【図３】図３は包装箱の展開図である。
【図４】図４は蓋開き状態を示し、（Ａ）は正面図、（Ｂ）は（Ａ）のB−B線に沿う模式断面図である。
【図５】図５は蓋閉じ状態を示し、（Ａ）は正面図、（Ｂ）は（Ａ）のB−B線に沿う模式断面図である。
【図６】図６は蓋開封状態を示し、（Ａ）は正面図、（Ｂ）は（Ａ）のB−B線に沿う模式断面図である。
【図７】図７は蓋再封状態を示し、（Ａ）は正面図、（Ｂ）は（Ａ）のB−B線に沿う模式断面図である。
【図８】図８は包装箱の胴部の開口に配置された内フラップを示し、（Ａ）は一例の平面図、（Ｂ）は他の例の平面図である。
【図９】図９は従来例の包装箱を示し、（Ａ）は斜視図、（Ｂ）は模式断面図である。
【発明を実施するための形態】
【００１１】
図１、図２に示したバージンロック機能付き包装箱１０は、図１に示す蓋開き状態において物品を収容した後、図２に示す蓋閉じ状態を後述する如くにバージンロックし、このバージンロックを解除して蓋開封可能にするものである。
【００１２】
包装箱１０は、板紙、プラスチックシート、又は紙とプラスチックの複合シート等から打ち抜かれた図３に示す如くの展開素材から製作される。尚、本明細書では、包装箱１０を水平面上においた状態で、水平面上にて相直交する一方を前後、他方を左右と称し、水平面に対して直交する鉛直方向に沿う上方を上、下方を下と称する。尚、素材の展開状態でいう各部の左右、上縁、下縁とは、この素材が組立てられた包装箱の状態で、各部の左右、上縁、下縁を構成することとなるものを左右、上縁、下縁という。
【００１３】
包装箱１０は、前板１１の左右両側に折目１３Ａ、１４Ａを介して左右の側板１３、１４を連設し、左側板１３に折目１２Ａを介して後板１２を連設し、後板１２に折目１５Ａを介して糊付片１５を連設する。各板１１、１２、１３、１４を角柱状に折曲げ、右側板１４の内側面に糊付片１５を接着して胴部１０Ａを形成する。
【００１４】
包装箱１０は、前板１１の上縁に折目２１Ａを介して蓋板２１を連設し、蓋板２１の先端部に折目２２Ａを介して差込フラップ２２を設け、左右の側板１３、１４の上縁に折目２３Ａ、２４Ａを介して左右の内フラップ２３、２４を連設する。
【００１５】
包装箱１０は、前板１１の下縁に折目２５Ａを介して底板２５を連設し、後板１２の下縁に折目２６Ａを介して底板２６を連設する。包装箱１０は、左右の側板１３、１４の下縁に折目２７Ａ、２８Ａを介して内フラップ２７、２８を連設する。
【００１６】
包装箱１０は、胴部１０Ａの開口１０Ｂを後述する如くに蓋板２１等で閉じた蓋閉じ状態を少なくとも１回開封したとき、この開封の痕跡を外観に残すため、蓋板２１等に下記(A)の係止片３０と(B)のスリット４０によるバージンロック機能を備える。
【００１７】
(A)包装箱１０は、後板１２の上縁の側の中央の一部であって、後板１２のその他の部分から切取り可能に設けられた係止片３０を有する。係止片３０は、図４〜図７に示す如く、後板１２のその他の部分とミシン目３１Ａを介して切取り可能に接合される切取り可能部３１と、切取り可能部３１の中央上部に連結される上端係止部３２とからなる。上端係止部３２は、切取り可能部３１の中央上部との連結部３２Ａと、この連結部３２Ａの幅方向の左右両側に延びる肩部３２Ｂ、３２Ｂと、両側の肩部３２Ｂ、３２Ｂの連結部３２Ａに対する外側端同士を結ぶ膨出状曲線３２Ｃとで囲まれる舌片状をなす。上端係止部３２の膨出状曲線３２Ｃは、本実施例では外方に凸の円弧状をなす。
【００１８】
(B)包装箱１０は、蓋板２１の差込フラップ２２の中央部に設けられてその幅方向（左右方向）へ延びるスリット４０を有する。スリット４０は、その幅方向の中央部を、先端側に向けて凸状をなす凸状スリット部４１とする。差込フラップ２２の凸状スリット部４１に沿って画成されてＶ字状外郭をなす凸片部４２が、係止片３０の上端係止部３２を後述する如くにスリット４０に挿入するときのガイドになる。
【００１９】
包装箱１０は、以上の素材により以下の如くに組立てられ、図１に示す蓋開き状態の箱体を形成する。
【００２０】
(1)素材の各板１１、１２、１３、１４を角柱状に折曲げ、右側板１４の内側面に糊付片１５を接着して胴部１０Ａを形成する。胴部１０Ａの上端に開口１０Ｂを形成する。
【００２１】
(2)胴部１０Ａの下端の開口に内フラップ２７、２８を折込み配置し、この内フラップ２７、２８の外側に折込み重ねた底板２５、２６を互いに係合かつ接着して底部１０Ｃを形成する。
【００２２】
以下、包装箱１０の使用方法について説明する。
(1)図１、図４に示す蓋開き状態の包装箱１０の内部に物品を収容する。即ち、包装箱１０の蓋板２１及び内フラップ２３、２４を開口１０Ｂの外方に開き、この開口１０Ｂから物品を装填する。
【００２３】
(2)包装箱１０を図２、図５に示す如くにバージンロックされた蓋閉じ状態とする。即ち、胴部１０Ａの開口１０Ｂに内フラップ２３、２４を折込み配置し、この内フラップ２３、２４の外側に折込み重ねた蓋板２１の差込フラップ２２を、後板１２の内側面と内フラップ２３、２４の後縁２３Ｂ、２４Ｂの間の間隙Ｇ（図８）に差込む。
【００２４】
この(2)による蓋板２１の差込フラップ２２の差込み過程で、図５に示す如く、係止片３０の上端係止部３２を差込フラップ２２の外側面から該差込フラップ２２のスリット４０に挿入し、係止片３０の上端係止部３２に該スリット４０を係止させて蓋板２１を閉止、換言すればバージンロックする。係止片３０の上端係止部３２を差込フラップ２２のスリット４０に挿入するとき、上端係止部３２の膨出状曲線３２Ｃの円弧頂部が差込フラップ２２の前述した凸片部４２の内側面に誘い込まれ、該上端係止部３２をスリット４０に挿入ガイドするものになる。蓋板２１の差込フラップ２２の差込みが完了したと同時に、係止片３０の上端係止部３２が肩部３２Ｂまで差込フラップ２２のスリット４０に挿入され、スリット４０のエッジが上端係止部３２の肩部３２Ｂに係止されて上述のバージンロックを形成するものになる。
【００２５】
(3)前述(1)で装填された物品の取出しに際しては、図６に示す如く、蓋板２１の差込フラップ２２のスリット４０と係止している係止片３０を、後板１２のその他の部分から切取って離すことによりバージンロックを解除し、蓋板２１を開封可能にする。係止片３０がバージンロックを解除するために切り離された痕跡が包装箱１０の外観に表れて包装箱１０が開封済であることがわかる。係止片３０は、切取り可能部３１のミシン目３１Ａにおいて後板１２のその他の部分から切り離される。
【００２６】
(4)蓋板２１の上述(3)の開封後に、図７に示す如く、蓋板２１の差込フラップ２２を後板１２の内側面と内フラップ２３、２４の後縁２３Ｂ、２４Ｂの間の間隙Ｇに差込んで蓋板２１を再封する。このとき、差込フラップ２２のスリット４０に係止している上述(3)の係止片３０において、差込フラップ２２のスリット４０から内側に入っている上端係止部３２は、内フラップ２３、２４の内側面に衝合し、蓋板２１の自由な開放が制止される。
【００２７】
尚、包装箱１０にあっては、内フラップ２３、２４の後縁２３Ｂ、２４Ｂが後板１２の内側面との間の間隙Ｇを、差込フラップ２２のスリット４０に係止する係止片３０の上端係止部３２が内フラップ２３、２４の後縁２３Ｂ、２４Ｂ寄りの内側面に衝合するに足るに十分な小間隙に設定する。図８（Ａ）は内フラップ２３、２４の先端側の後縁２３Ｂ、２４Ｂを後板１２の内側面に近接する側に十分に張出し、係止片３０の上端係止部３２が内フラップ２３、２４の先端側の内側面に確実に衝合するようにした例である。図８（Ｂ）は内フラップ２３、２４の基端側寄りの後縁２３Ｂ、２４Ｂを後板１２の内側面に近接する側に十分に張出し、係止片３０の上端係止部３２が内フラップ２３、２４の基端側寄りの内側面に衝合するようにし、かつ差込フラップ２２を後板１２の幅方向中央の内側面と内フラップ２３、２４の先端側の後縁２３Ｂ、２４Ｂの間の間隙Ｇに差込み容易にした例である。
【００２８】
本実施例によれば以下の作用効果を奏する。
（請求項１）
(a)蓋板２１の差込フラップ２２のスリット４０と係止している係止片３０を後板１２のその他の部分から切取れば、蓋板２１のバージンロックを解除して該蓋板２１を直ちに開封できる。
【００２９】
(b)蓋板２１の開封後に蓋板２１の差込フラップ２２を後板１２の内側面と内フラップ２３、２４の後縁２３Ｂ、２４Ｂの間の間隙Ｇに差込んで蓋板２１を再封したとき、蓋板２１の前板１１に対する折曲げ連設部で生じている開放習性力が蓋板２１を開放させようとしても、蓋板２１の差込フラップ２２に設けたスリット４０に係止している係止片３０の該差込フラップ２２の内側に入っている上端係止部３２が内フラップ２３、２４の内側面に引きかかる如くに衝合し、蓋板２１の自由な開放が制止される。
【００３０】
（請求項２）
(c)蓋板２１の差込フラップ２２に設けられるスリット４０が、その幅方向の中央部を、先端側に向けて凸状をなす凸状スリット部４１とすることにより、差込フラップ２２の凸状スリット部４１に沿って画成される凸片部４２が、係止片３０の上端係止部３２をスリット４０に挿入するときのガイドになる。従って、蓋板２１の最初の閉止時に、後板１２に設けられている係止片３０の上端係止部３２を差込フラップ２２のスリット４０に容易に挿入できる。
【００３１】
（請求項３）
(d)後板１２に設けられている係止片３０の上端係止部３２が、切取り可能部３１の中央上部との連結部３２Ａと、この連結部３２Ａの幅方向の両側に延びる肩部３２Ｂ、３２Ｂと、両側の肩部３２Ｂ、３２Ｂの連結部３２Ａに対する外側端同士を結ぶ膨出状曲線３２Ｃとで囲まれる舌片状をなす。従って、蓋板２１の最初の閉止時に、後板１２に設けられている係止片３０の舌片状上端係止部３２を差込フラップ２２のスリット４０に容易に挿入できる。
【産業上の利用可能性】
【００３２】
本発明は、包装箱において、蓋板の開封後に該蓋板の差込フラップを後板の内側面と内フラップの後縁の間の間隙に差込んで蓋板を再封したとき、該差込フラップのスリットに係止している係止片の該差込フラップの内側に入っている上端係止部を内フラップの内側面に衝合させ、蓋板の自由な開放を制止できる。
【符号の説明】
【００３３】
１０  包装箱
１０Ａ  胴部
１０Ｂ  開口
１１  前板
１２  後板
１３、１４  側板
２１  蓋板
２２  差込フラップ
２３、２４  内フラップ
３０  係止片
３１  切取り可能部
３１Ａ  ミシン目
３２  上端係止部
３２Ａ  連結部
３２Ｂ  肩部
３２Ｃ  膨出状曲線
４０  スリット
４１  凸状スリット部
４２  凸片部
【図１】
2010285186.tif 000003
【図２】
2010285186.tif 000004
【図３】
2010285186.tif 000005
【図４】
2010285186.tif 000006
【図５】
2010285186.tif 000007
【図６】
2010285186.tif 000008
【図７】
2010285186.tif 000009
【図８】
2010285186.tif 000010
【図９】
2010285186.tif 000011